(57)【要約】【課題】２つの対象端子をバスバーによって接続する作業の作業効率が確保されるとともに、信頼性が確保される電池モジュールを提供すること。【解決手段】実施形態によれば、電池モジュールは、第１の電池、第２の電池、仕切り壁及びバスバーを備える。第２の電池は、積層方向について、第１の電池に対して隣り合って配置され、仕切り壁は、積層方向について第１の電池と第２の電池との間を仕切る。バスバーは、第１の電池の第１の対象端子に接触する第１の接触部と、第２の電池の第２の対象端子に接触する第２の接触部と、を備える。バスバーは、第１の対象端子と第２の対象端子との間を電気的に接続するとともに、仕切り壁に第１の接触部と第２の接触部との間において連結される。【選択図】図１１
2020177842.tif 000002
【特許請求の範囲】
【請求項１】
一対の第１の電極端子を備える第１の電池と、
一対の第２の電極端子を備え、積層方向について前記第１の電池に対して隣り合って配置される第２の電池と、
前記積層方向について前記第１の電池と前記第２の電池との間を仕切る仕切り壁と、
前記一対の第１の電極端子の対応する一方である第１の対象端子に接触する第１の接触部と、前記一対の第２の電極端子の対応する一方である第２の対象端子に接触する第２の接触部と、を備え、前記第１の対象端子と前記第２の対象端子との間を電気的に接続するとともに、前記仕切り壁に前記第１の接触部と前記第２の接触部との間において連結されるバスバーと、
を具備する電池モジュール。
【請求項２】
前記仕切り壁は、前記積層方向に交差する方向について前記第１の対象端子及び前記第２の対象端子に対して外側に突出し、
前記バスバーは、前記仕切り壁の前記第１の対象端子及び前記第２の対象端子に対する突出部分に、連結される、
請求項１の電池モジュール。
【請求項３】
前記仕切り壁と係合する係合部材をさらに具備し、
前記バスバーは、前記係合部材を介して前記仕切り壁に連結される、
請求項１又は２の電池モジュール。
【請求項４】
前記バスバーは、前記第１の接触部から前記積層方向について前記第２の電池が位置する側とは反対側へ延設される第１のバー延設部と、前記第２の接触部から前記積層方向について前記第１の電池が位置する側へ延設される第２のバー延設部と、を備え、
前記第１のバー延設部は、前記積層方向について前記第２の電池から離れるほど前記積層方向に交差する方向について外側に位置する状態に延設され、
前記第２のバー延設部は、前記積層方向について前記第１の電池に近づくほど前記積層方向に交差する方向について外側に位置する状態に延設される、
請求項１乃至３のいずれか１項の電池モジュール。
【請求項５】
前記バスバーは、前記仕切り壁を越えて前記第１のバー延設部と前記第２のバー延設部との間を中継するバー中継部を備え、
前記バスバーは、前記仕切り壁に前記バー中継部において連結される、
請求項４の電池モジュール。
【請求項６】
前記第１の電池及び前記第２の電池のそれぞれは、正極及び負極を備える電極群と、金属から形成されるとともに、前記電極群が収納される内部空洞を規定する外装部と、を備え、
前記第１の電池では、前記外装部の外表面に前記一対の第１の電極端子が取付けられ、
前記第２の電池では、前記外装部の外表面に前記一対の第２の電極端子が取付けられ、
前記第１の電池及び前記第２の電池のそれぞれの前記外装部及び前記内部空洞のそれぞれでは、高さ方向についての寸法が、高さ方向に交差する横方向についての寸法、及び、前記高さ方向及び前記横方向の両方に交差する縦方向についての寸法のそれぞれに比べて小さくなり、
前記第１の電池及び前記第２の電池のそれぞれは、前記高さ方向が前記積層方向に沿う状態で配置される、
請求項１乃至５のいずれか１項の電池モジュール。
【請求項７】
前記第１の電池では、前記電極群は、前記横方向について前記一対の第１の端子の間に配置され、
前記第２の電池では、前記電極群は、前記横方向について前記一対の第２の端子の間に配置され、
前記第１の電池及び前記第２の電池のそれぞれは、前記横方向が前記積層方向に対して交差する第１の交差方向に沿い、かつ、前記縦方向が前記積層方向及び前記第１の交差方向の両方に対して交差する第２の交差方向に沿う状態で配置され、
前記第１の対象端子、前記第２の対象端子及び前記バスバーは、前記第１の交差方向について、前記第１の電池及び前記第２の電池のそれぞれの前記電極群に対して、同一の側に配置される、
請求項６の電池モジュール。
【請求項８】
前記第１の電池及び前記第２の電池のそれぞれの前記外装部は、底壁と、前記内部空洞の外周側を囲む周壁と、前記周壁において前記底壁とは反対側の端部から前記外周側へ突出するフランジと、を備える第１の外装部材と、前記高さ方向について前記底壁とは反対側から前記フランジに取付けられる第２の外装部材と、を備え、
前記第１の電池の前記底壁は、前記仕切り壁を間に挟んで、前記第２の電池の前記第２の外装部材と対向する、
請求項６又は７の電池モジュール。
【請求項９】
前記第１の電池に取付けられる第１のカバー部材と、
前記第２の電池に取付けられる第２のカバー部材と、
をさらに具備し、
前記第１のカバー部材及び前記第２のカバー部材のそれぞれは、土台及び側板部を備え、
前記第１のカバー部材の前記土台は、前記第１の電池の前記底壁に当接するとともに、前記第１の電池と前記第２の電池との間の前記仕切り壁を形成し、
前記第１のカバー部材の前記側板部は、前記第１のカバー部材の前記土台から前記第１の電池の前記フランジが位置する側へ向かって延設され、前記第１の電池の周方向について前記一対の第１の電極端子から離れた範囲において前記第１の電池の前記周壁に前記外周側から対向し、
前記第２のカバー部材の前記土台は、前記第２の電池の前記底壁に当接し、
前記第２のカバー部材の前記側板部は、前記第２のカバー部材の前記土台から前記第２の電池の前記フランジが位置する側へ向かって延設され、前記第２の電池の周方向について前記一対の第２の電極端子から離れた範囲において前記第２の電池の前記周壁に前記外周側から対向する、
請求項８の電池モジュール。
【請求項１０】
前記第１のカバー部材及び前記第２のカバー部材のそれぞれでは、前記側板部は、前記土台と連続する第１のカバー延設部と、前記第１のカバー延設部に対して前記土台が位置する側とは反対側に配置される第２のカバー延設部と、を備え、
前記第１のカバー部材では、前記第２のカバー延設部は、前記第１のカバー延設部に対して前記外周側に位置するとともに、前記第１の電池の前記第２の外装部材から前記第１の電池の前記底壁が位置する側とは反対側へ突出し、
前記第２のカバー部材では、前記第２のカバー延設部は、前記第１のカバー延設部に対して前記外周側に位置するとともに、前記第２の電池の前記第２の外装部材から前記第２の電池の前記底壁が位置する側とは反対側へ突出し、
前記第２のカバー部材の前記第２のカバー延設部は、前記第１のカバー部材の前記第１のカバー延設部に前記外周側から当接する、
請求項９の電池モジュール。
【請求項１１】
一対の第１の電極端子を備える第１の電池と、
一対の第２の電極端子を備え、積層方向について前記第１の電池に対して隣り合って配置される第２の電池と、
前記一対の第１の電極端子の対応する一方である第１の対象端子に接触する第１の接触部と、前記一対の第２の電極端子の対応する一方である第２の対象端子に接触する第２の接触部と、を備え、前記第１の対象端子と前記第２の対象端子との間を電気的に接続するバスバーと、
を具備し
前記バスバーは、前記第１の接触部から前記積層方向について前記第２の電池が位置する側とは反対側へ延設される第１のバー延設部と、前記第２の接触部から前記積層方向について前記第１の電池が位置する側へ延設される第２のバー延設部と、を備え、
前記第１のバー延設部は、前記積層方向について前記第２の電池から離れるほど前記積層方向に交差する方向について外側に位置する状態に延設され、
前記第２のバー延設部は、前記積層方向について前記第１の電池に近づくほど前記積層方向に交差する方向について外側に位置する状態に延設される、
電池モジュール。
【発明の詳細な説明】
【技術分野】
【０００１】
本発明の実施形態は、電池モジュールに関する。
【背景技術】
【０００２】
一般的に、電池モジュールでは、複数の電池が積層方向に積層され、隣り合って積層される２つの電池が、バスバーを介して電気的に接続される。電池モジュールに設けられる電池のそれぞれは、正極及び負極を備える電極群と、電極群を収納する外装部と、外装部の外表面に取付けられる一対の電極端子と、を備える。そして、隣り合って積層される２つの電池である第１の電池及び第２の電池では、第１の電池の一対の電極端子の一方である第１の対象端子が、第２の電池の一対の電極端子の一方である第２の対象端子に、バスバーを介して電気的に接続される。バスバーは、第１の電池の第１の対象端子に接触するとともに、第２の電池の第２の対象端子に接触する。
【０００３】
前述のように隣り合って積層される２つの電池がバスバーによって電気的に接続される電池モジュールでは、電池ごとに寸法等がばらつくことがある。この場合、バスバーによって接続される２つの対象端子の位置が、積層方向に対して交差する方向について互いに対してずれる可能性がある。前述のような電池モジュールの製造においては、バスバーによって接続される２つの対象端子の相対位置に関係なく、２つの対象端子をバスバーによって接続する作業の作業効率が確保されることが求められる。また、バスバーによって接続される２つの対象端子の相対位置に関係なく、２つの対象端子にバスバーが適切に接続され、電池モジュールの信頼性が確保されることが求められる。
【先行技術文献】
【特許文献】
【０００４】
【特許文献１】国際公開第２０１６／２０４１４７号公報
【発明の概要】
【発明が解決しようとする課題】
【０００５】
本発明が解決しようとする課題は、２つの対象端子をバスバーによって接続する作業の作業効率が確保されるとともに、信頼性が確保される電池モジュールを提供することにある。
【課題を解決するための手段】
【０００６】
実施形態によれば、電池モジュールは、第１の電池、第２の電池、仕切り壁及びバスバーを備える。第１の電池は、一対の第１の電極端子を備え、第２の電池は、一対の第２の電極端子を備える。第２の電池は、積層方向について、第１の電池に対して隣り合って配置される。仕切り壁は、積層方向について第１の電池と第２の電池との間を仕切る。バスバーは、一対の第１の電極端子の対応する一方である第１の対象端子に接触する第１の接触部と、一対の第２の電極端子の対応する一方である第２の対象端子に接触する第２の接触部と、を備える。バスバーは、第１の対象端子と第２の対象端子との間を電気的に接続するとともに、仕切り壁に第１の接触部と第２の接触部との間において連結される。
【０００７】
実施形態によれば、電池モジュールは、第１の電池、第２の電池及びバスバーを備える。第１の電池は、一対の第１の電極端子を備え、第２の電池は、一対の第２の電極端子を備える。第２の電池は、積層方向について、第１の電池に対して隣り合って配置される。バスバーは、一対の第１の電極端子の対応する一方である第１の対象端子に接触する第１の接触部と、一対の第２の電極端子の対応する一方である第２の対象端子に接触する第２の接触部と、を備え、第１の対象端子と第２の対象端子との間を電気的に接続する。バスバーは、第１の接触部から積層方向について第２の電池が位置する側とは反対側へ延設される第１のバー延設部と、第２の接触部から積層方向について第１の電池が位置する側へ延設される第２のバー延設部と、を備える。第１のバー延設部は、積層方向について第２の電池から離れるほど積層方向に交差する方向について外側に位置する状態に、延設される。第２のバー延設部は、積層方向について第１の電池に近づくほど積層方向に交差する方向について外側に位置する状態に、延設される。
【図面の簡単な説明】
【０００８】
【図１】図１は、第１の実施形態に係る電池モジュールに用いられる電池の一例を概略的に示す斜視図である。
【図２】図２は、図１の電池を部材ごとに分解して概略的に示す斜視図である。
【図３】図３は、図１の電池の電極群の構成を示す概略図である。
【図４】図４は、図１の電池において、電極群と一対の電極端子の一方との間の電気的な接続構成を示す概略図である。
【図５】図５は、図１の電池を備える電池アセンブリを概略的に示す斜視図である。
【図６】図６は、図５の電池アセンブリを横方向の一方側から視た状態で示す概略図である。
【図７】図７は、第１の実施形態に係る電池モジュールの一例を概略的に示す斜視図である。
【図８】図８は、図７の電池モジュールを、フレームを省略した状態で概略的に示す斜視図である。
【図９】図９は、図７の電池モジュールに設けられるバスバーのある１つ及びその近傍の構成を概略的に示す斜視図である。
【図１０】図１０は、図７の電池モジュールに設けられるバスバーのある１つ及びその近傍の構成を、第２の交差方向に対して垂直又は略垂直な断面で示す概略図である。
【図１１】図１１は、図７の電池モジュールにおいて、互いに対して隣り合って配置される２つの電池アセンブリ及びそれら近傍の構成を概略的に示す斜視図である。
【図１２】図１２は、図７の電池モジュールにおいて、互いに対して隣り合って配置される２つの電池アセンブリ及びそれら近傍の構成を、第２の交差方向に対して垂直又は略垂直な断面で示す概略図である。
【図１３】図１３は、第１の実施形態のある変形例に係る電池モジュールにおいて、互いに対して隣り合って配置される２つの電池アセンブリ及びそれら近傍の構成を示す概略図である。
【図１４】図１４は、第２の実施形態に係る電池モジュールに用いられる電池の一例を概略的に示す斜視図である。
【図１５】図１５は、第２の実施形態に係る電池モジュールにおいて、互いに対して隣り合って配置される２つの電池及びそれら近傍の構成を概略的に示す斜視図である。
【図１６】図１６は、図１５の電池モジュールにおいて、第２の対象端子が第１の対象端子に対して第２の交差方向についてずれていない一例を示す概略図である。
【図１７】図１７は、図１５の電池モジュールにおいて、第２の対象端子が第１の対象端子に対して第２の交差方向について内側にずれている一例を示す概略図である。
【図１８】図１８は、図１５の電池モジュールにおいて、第２の対象端子が第１の対象端子に対して第２の交差方向について外側にずれている一例を示す概略図である。
【発明を実施するための形態】
【０００９】
以下、実施形態について図面を参照して説明する。実施形態に係る電池モジュールは、複数の電池を備える。
【００１０】
（第１の実施形態）  
以下、第１の実施形態に係る電池モジュール及びその電池モジュールに用いられる電池の単体について説明する。
【００１１】
［電池］
まず、電池１の単体について説明する。図１は、第１の実施形態に係る電池モジュールに用いられる電池１の単体の一例を示す。また、図２は、図１の電池１を部材ごとに分解して示す。本実施形態の電池モジュールに設けられる複数の電池のそれぞれは、以下に説明する電池１と同様の構成である。電池１は、例えば二次電池である。
【００１２】
図１及び図２に示すように、電池１は、外装部３を備える。外装部３は、ステンレス鋼等の金属から形成される。外装部３を形成するステンレス鋼以外の金属としては、アルミニウム、アルミニウム合金、鉄、及び、メッキ鋼等が挙げられる。また、外装部３の内部には、内部空洞１１が形成される。電池１及び外装部３では、縦方向（矢印Ｘ１及び矢印Ｘ２で示す方向）、縦方向に対して交差する（垂直又は略垂直な）横方向（矢印Ｙ１及び矢印Ｙ２で示す方向）、及び、縦方向及び横方向の両方に対して交差する（垂直又は略垂直な）高さ方向（矢印Ｚ１及び矢印Ｚ２で示す方向）が、規定される。
【００１３】
外装部３は、第１の外装部材（カップ部材）５及び第２の外装部材（蓋部材）６を備える。第１の外装部材５は、底付きの容器形状に形成される。本実施形態では、第１の外装部材５は、底壁７及び周壁４を有し、一面が開口した略直方体状に形成される。底壁７は、内部空洞１１に対して高さ方向の一方側（矢印Ｚ１側）に位置する。また、周壁４は、外装部３の周方向に沿って延設され、内部空洞１１の外周側は、周壁４によって囲まれる。そして、内部空洞１１は、周壁４に対して、内周側に隣接する。
【００１４】
また、第１の外装部材５の内部空間は、外装部３の内部空洞１１の少なくとも一部を形成し、底壁７が位置する側とは反対側へ向かって開口する。そして、第１の外装部材５の内部空間の開口の開口縁は、周壁４において、底壁７とは反対側の端部に形成される。ここで、電池１及び外装部３では、第１の外装部材５の内部空間の開口縁に沿う方向が、周方向と一致又は略一致する。そして、周壁４に対して内部空洞１１（内部空間）が位置する側が内周側であり、内周側とは反対側が外周側である。
【００１５】
周壁４は、二対の側壁８，９を備える。一対の側壁８は、縦方向について内部空洞１１を挟んで対向する。そして、一対の側壁９は、横方向について内部空洞１１を挟んで対向する。側壁８のそれぞれは、側壁９の間に、横方向に沿って連続して延設される。また、側壁９のそれぞれは、側壁８の間に、縦方向に沿って連続して延設される。
【００１６】
第１の外装部材５は、フランジ１３を備える。フランジ１３は、周壁４（側壁８，９）において底壁７とは反対側の端部から外周側へ突出する。このため、フランジ１３は、周壁４に対して外周側へ突出するとともに、高さ方向について底壁７から離れて形成される。フランジ１３は、外装部３の周方向について全周に渡って形成され、外装部３の周方向について全周に渡って外周側へ突出する。また、フランジ１３は、第１の外装部材５の内部空間の開口縁から、外周側へ向かって延設される。
【００１７】
本実施形態では、第２の外装部材６は、略板状の部材であり、例えば、略長方形状に形成される。第２の外装部材６は、電池１の高さ方向について底壁７が位置する側とは反対側から、フランジ１３に取付けられ、底壁７とは反対側からフランジ１３と対向する。そして、第１の外装部材５の内部空間の開口は、第２の外装部材６によって塞がれる。第２の外装部材６は、高さ方向について内部空洞１１を挟んで底壁７と対向する頂壁１５を備える。このため、第１の外装部材５の底壁７は、高さ方向について内部空洞１１を挟んで第２の外装部材６（頂壁１５）と対向する。また、周壁４及びフランジ１３は、高さ方向について底壁７と第２の外装部材６との間に、設けられる。
【００１８】
第２の外装部材６は、周壁４（側壁８，９）に対して外周側へ突出する。そして、第２の外装部材６は、外装部３の周方向について全周に渡って外周側へ突出する。また、本実施形態では、板状の第２の外装部材６の厚さ方向は、電池１（外装部３）の高さ方向と一致又は略一致する。
【００１９】
第２の外装部材６は、フランジ１３に対して底壁７とは反対側に配置された状態でフランジ１３に溶接される。溶接部分では、フランジ１３及び第２の外装部材６が、気密に溶接される。フランジ１３の第２の外装部材６への溶接部分は、第１の外装部材５の内部空間の開口縁に対して、外装部３の外周側に形成される。また、フランジ１３及び第２の外装部材６の溶接部分は、周方向について全周に渡って連続して形成される。このため、外装部３の内部空洞は、密閉及び封止される。なお、溶接部分では、例えば、抵抗シーム溶接によって、フランジ１３及び第２の外装部材６が溶接される。抵抗シーム溶接が行われることにより、レーザ溶接等に比べて、コストが抑えられるとともに、フランジ１３と第２の外装部材６との間の気密性が高い。
【００２０】
本実施形態では、底壁７と第２の外装部材６（頂壁１５）との間の高さ方向についての寸法は、一対の側壁８の間の縦方向についての寸法、及び、一対の側壁９の間の横方向について寸法のそれぞれに比べて、遥かに小さい。このため、内部空洞１１では、高さ方向についての寸法が、縦方向についての寸法、及び、横方向についての寸法のそれぞれに比べて、遥かに小さくなる。また、外装部３の肉厚は、外装部３（外装部材５，６）の全体に渡って均一又は略均一に形成される。外装部３の肉厚は、薄く、例えば、０．０２ｍｍ以上０．３ｍｍ以下に形成される。したがって、電池１では、高さ方向についての寸法が、縦方向についての寸法、及び、横方向についての寸法のそれぞれに比べて、遥かに小さくなる。すなわち、外装部３は、高さ方向の寸法が縦方向の寸法及び横方向の寸法のそれぞれに比べて小さい扁平形状に、形成される。また、周壁４から外周側へのフランジ１３及び第２の外装部材６の突出寸法は、２ｍｍ以上５ｍｍ以下程度である。本実施形態では、フランジ１３及び第２の外装部材６の突出部分の突出端によって、外装部３（電池１）の外周端Ｅが形成される。
【００２１】
外装部３の内部空洞１１には、電極群１０が収納される。図３は、電極群１０の構成を説明する図である。図３に示すように、電極群１０は、例えば、扁平形状に形成され、正極２１、負極２２及びセパレータ２３，２５を備える。正極２１は、正極集電体としての正極集電箔２１Ａと、正極集電箔２１Ａの表面に担持される正極活物質含有層２１Ｂと、を備える。正極集電箔２１Ａは、アルミニウム箔又はアルミニウム合金箔等であり、厚さが１０μｍ〜２０μｍ程度である。正極集電箔２１Ａには、正極活物質、結着剤及び導電剤を含むスラリーが塗布される。正極活物質としては、これらに限定されるものではないが、リチウムを吸蔵放出できる酸化物、硫化物及びポリマー等が挙げられる。また、高い正極電位を得られる観点から、正極活物質は、リチウムマンガン複合酸化物、リチウムニッケル複合酸化物、リチウムコバルト複合酸化物及びリチウム燐酸鉄等が、用いられることが好ましい。
【００２２】
負極２２は、負極集電体としての負極集電箔２２Ａと、負極集電箔２２Ａの表面に担持される負極活物質含有層２２Ｂと、を備える。負極集電箔２２Ａは、アルミニウム箔、アルミニウム合金箔又は銅箔等であり、厚さが１０μｍ〜２０μｍ程度である。負極集電箔２２Ａには、負極活物質、結着剤及び導電剤を含むスラリーが塗布される。負極活物質としては、特に限定されるものではないが、リチウムイオンを吸蔵放出できる金属酸化物、金属硫化物、金属窒化物及び炭素材料等が挙げられる。負極活物質としては、リチウムイオンの吸蔵放出電位が金属リチウム電位に対して０．４Ｖ以上となる物質、すなわち、リチウムイオンの吸蔵放出電位が０．４Ｖ（ｖｓ．Ｌｉ＋／Ｌｉ）以上になる物質であることが好ましい。このようなリチウムイオン吸蔵放出電位を有する負極活物質を用いることにより、アルミニウム又はアルミニウム合金とリチウムとの合金反応が抑えられるため、負極集電箔２２Ａ及び負極２２に関連する構成部材に、アルミニウム及びアルミニウム合金を使用可能になる。リチウムイオンの吸蔵放出電位が０．４Ｖ（ｖｓ．Ｌｉ＋／Ｌｉ）以上になる負極活物質としては、例えば、チタン酸化物、チタン酸リチウム等のリチウムチタン複合酸化物、タングステン酸化物、アモルファススズ酸化物、ニオブ・チタン複合酸化物、スズ珪素酸化物、及び、酸化珪素等が挙げられ、リチウムチタン複合酸化物を負極活物質として用いることが、特に好ましい。なお、リチウムイオンを吸蔵放出する炭素材料を負極活物質として用いる場合は、負極集電箔２２Ａは銅箔を用いるとよい。負極活物質として用いられる炭素材料は、リチウムイオンの吸蔵放出電位が０Ｖ（ｖｓ．Ｌｉ＋／Ｌｉ）程度になる。
【００２３】
正極集電箔２１Ａ及び負極集電箔２２Ａに用いられるアルミニウム合金は、Ｍｇ、Ｔｉ、Ｚｎ、Ｍｎ、Ｆｅ、Ｃｕ及びＳｉから選択される１種または２種以上の元素を含むことが望ましい。アルミニウム及びアルミニウム合金の純度は、９８重量％以上にすることができ、９９．９９重量％以上が好ましい。また、純度１００％の純アルミニウムを、正極集電体及び／又は負極集電体の材料として用いることが可能である。アルミニウム及びアルミニウム合金における、ニッケル、クロムなどの遷移金属の含有量は１００重量ｐｐｍ以下（０重量ｐｐｍを含む）にすることが好ましい。
【００２４】
正極集電箔２１Ａでは、一方の長辺縁２１Ｃ及びその近傍部位によって、正極集電タブ２１Ｄが形成される。図３の一例では、正極集電タブ２１Ｄは、長辺縁２１Ｃの全長に渡って形成される。正極集電タブ２１Ｄでは、正極集電箔２１Ａの表面に正極活物質含有層２１Ｂが担持されない。したがって、正極集電箔２１Ａは、正極活物質含有層２１Ｂが未担持の部分として正極集電タブ２１Ｄを備える。また、負極集電箔２２Ａでは、一方の長辺縁２２Ｃ及びその近傍部位によって、負極集電タブ２２Ｄが形成される。図３の一例では、負極集電タブ２２Ｄは、長辺縁２２Ｃの全長に渡って形成される。負極集電タブ２２Ｄでは、負極集電箔２２Ａの表面に負極活物質含有層２２Ｂが担持されない。したがって、負極集電箔２２Ａは、負極活物質含有層２２Ｂが未担持の部分として負極集電タブ２２Ｄを備える。
【００２５】
セパレータ２３，２５のそれぞれは、電気的に絶縁性を有する材料から形成され、正極２１と負極２２との間を電気的に絶縁する。セパレータ２３，２５のそれぞれは、正極２１及び負極２２とは別体のシート等であってもよく、正極２１及び負極２２の一方と一体に形成されてもよい。また、セパレータ２３，２５は、有機材料から形成されてもよく、無機材料から形成されてもよく、有機材料と無機材料との混合物から形成されてもよい。セパレータ２３，２５を形成する有機材料としては、エンプラ及びスーパーエンプラが挙げられる。そして、エンプラとしては、ポリアミド、ポリアセタール、ポリブチレンテレフタレート、ポリエチレンテレフタレート、シンジオタクチック・ポリスチレン、ポリカーボネート、ポリアミドイミド、ポリビニルアルコール、ポリフッ化ビニリデン及び変性ポリフェニレンエーテル等が挙げられる。また、スーパーエンプラとしては、ポリフェニレンサルファイド、ポリエーテルエーテルケトン、液晶ポリマー、ポリビニリデンフロライド、ポリテトラフルオロエチレン（ＰＴＦＥ）、ポリエーテルニトリル、ポリサルホン、ポリアクリレート、ポリエーテルイミド及び熱可塑性ポリイミド等が挙げられる。また、セパレータ２３，２５を形成する無機材料としては、酸化物（例えば、酸化アルミニウム、二酸化ケイ素、酸化マグネシウム、リン酸化物、酸化カルシウム、酸化鉄、酸化チタン）、窒化物（例えば、窒化ホウ素、窒化アルミニウム、窒化珪素、窒化バリウム）等が挙げられる。
【００２６】
電極群１０では、正極活物質含有層２１Ｂと負極活物質含有層２２Ｂとの間でセパレータ２３，２５のそれぞれが挟まれた状態で、正極２１、負極２２及びセパレータ２３，２５が捲回軸Ｂを中心として扁平形状に捲回される。正極２１、セパレータ２３、負極２２及びセパレータ２５は、例えば、この順に重ねられた状態で、捲回される。また、電極群１０では、正極集電箔２１Ａの正極集電タブ２１Ｄが、負極２２及びセパレータ２３，２５に対して、捲回軸Ｂに沿う方向の一方側へ突出する。そして、負極集電箔２２Ａの負極集電タブ２２Ｄが、正極２１及びセパレータ２３，２５に対して、捲回軸Ｂに沿う方向について正極集電タブ２１Ｄが突出する側とは反対側に、突出する。
【００２７】
電極群１０は、捲回軸Ｂが電池１の横方向に対して平行又は略平行になる状態で配置される。このため、外装部３の内部空洞１１では、正極集電タブ２１Ｄは、横方向の一方側へ負極２２及びセパレータ２３，２５に対して突出する。そして、負極集電タブ２２Ｄは、正極２１及びセパレータ２３，２５に対して、横方向について正極集電タブ２１Ｄが突出する側とは反対側に、突出する。
【００２８】
また、電極群１０は、正極、負極及びセパレータが捲回される捲回構造を有する必要はない。ある一例では、電極群１０は、複数の正極及び複数の負極が交互に積層されるスタック構造を有し、正極と負極との間にはセパレータが設けられる。この場合も、電極群１０では、正極集電タブが、電池１（外装部３）の横方向について一方側へ、負極に対して突出する。そして、電極群では、負極集電タブが、電池１の横方向について、正極集電タブが突出する側とは反対側へ、正極に対して突出する。
【００２９】
ある一例では、内部空洞１１において、電極群１０に、電解液（図示しない）が含浸される。電解液としては、非水電解液が用いられ、例えば、電解質を有機溶媒に溶解することにより調製される非水電解液が用いられる。この場合、有機溶媒に溶解させる電解質として、過塩素酸リチウム（ＬｉＣｌＯ4）、六フッ化リン酸リチウム（ＬｉＰＦ6）、四フッ化ホウ酸リチウム（ＬｉＢＦ4）、六フッ化砒素リチウム（ＬｉＡｓＦ6）、トリフルオロメタンスルホン酸リチウム（ＬｉＣＦ3ＳＯ3）及びビストリフルオロメチルスルホニルイミドリチウム［ＬｉＮ（ＣＦ3ＳＯ2）2］等のリチウム塩、及び、これらの混合物が挙げられる。また、有機溶媒として、プロピレンカーボネート（ＰＣ）、エチレンカーボネート（ＥＣ）及びビニレンカーボネート等の環状カーボネート；ジエチルカーボネート（ＤＥＣ）、ジメチルカーボネート（ＤＭＣ）及びメチルエチルカーボネート（ＭＥＣ）等の鎖状カーボネート；テトラヒドロフラン（ＴＨＦ）、２メチルテトラヒドロフラン（２ＭｅＴＨＦ）、及びジオキソラン（ＤＯＸ）等の環状エーテル；ジメトキシエタン（ＤＭＥ）及びジエトキシエタン（ＤＥＥ）等の鎖状エーテル；γ−ブチロラクトン（ＧＢＬ）、アセトニトリル（ＡＮ）及びスルホラン（ＳＬ）等が挙げられる。これらの有機溶媒は、単独で、又は、混合溶媒として用いられる。
【００３０】
また、ある一例では、非水電解質として、非水電解液と高分子材料とを複合化したゲル状非水電解質が、電解液の代わりに用いられる。この場合、前述した電解質及び有機溶媒が用いられる。また、高分子材料として、ポリフッ化ビニリデン（ＰＶｄＦ）、ポリアクリロニトリル（ＰＡＮ）及びポリエチレンオキサイド（ＰＥＯ）等が挙げられる。
【００３１】
また、ある一例では、電解液の代わりに、高分子固体電解質及び無機固体電解質等の固体電解質が非水電解質として設けられる。この場合、電極群１０に、セパレータ２３，２５が設けられなくてもよい。そして、電極群１０では、セパレータ２３，２５の代わりに、固体電解質が正極２１と負極２２との間で挟まれる。このため、本実施例では、固体電解質によって、正極２１と負極２２との間が電気的に絶縁される。また、ある実施例では、非水電解質の代わりに水系溶媒を含む水系電解質が、電解質として用いられてもよい。
【００３２】
図１及び図２に示すように、外装部３の外表面には、一対の電極端子２７が取付けられる。電極端子２７の一方が電池１の正極端子となり、電極端子２７の他方が電池１の負極端子となる。このため、電極端子２７は、互いに対して反対の極性を有する。また、図１等の実施形態では、第１の外装部材５の外表面に、一対の傾斜面２６が形成される。傾斜面２６のそれぞれは、側壁（第１の側壁）９の対応する一方と底壁７との間に、設けられる。一対の傾斜面２６のそれぞれは、側壁８の間に、縦方向に沿って連続して延設される。このため、傾斜面２６のそれぞれは、電池１（外装部３）の周方向について、側壁９の対応する一方と同一又は略同一の範囲に渡って、延設される。傾斜面２６のそれぞれは、底壁７及び側壁９に対して、傾斜する。傾斜面２６のそれぞれは、底壁７に近づくほど横方向について内側へ向かう状態に、傾斜する。
【００３３】
図１等の実施形態では、電極端子２７のそれぞれは、傾斜面２６の対応する一方に、外部に露出する状態で取付けられる。したがって、電極端子２７のそれぞれは、外装部３の周方向について、側壁（第１の側壁）９の対応する一方が延設される範囲に、設けられる。図１及び図２等の一例では、電極端子２７のそれぞれは、縦方向について、傾斜面２６の対応する一方の中央位置又は略中央位置に配置される。そして、電極群１０は、横方向について、一対の電極端子２７の間に配置される。電極端子２７のそれぞれは、導電材料から形成され、例えば、アルミニウム、銅及びステンレス等のいずれかから形成される。
【００３４】
また、第１の外装部材５の外表面には、電気的に絶縁材料から形成される一対の絶縁部材２８が設けられる。絶縁部材２８のそれぞれは、側壁９の対応する一方の外表面及び傾斜面２６の対応する一方に配置される。絶縁部材２８のそれぞれは、傾斜面２６の対応する一方と電極端子２７の対応する一方との間に介在し、電極端子２７の対応する一方を外装部３（第１の外装部材５）に対して電気的に絶縁する。
【００３５】
図４は、電極群１０と一対の電極端子２７の一方との間の電気的な接続構成を示す。図４に示すように、電極群１０の正極集電タブ２１Ｄは、超音波溶接等の溶接によって束ねられる。そして、正極集電タブ２１Ｄの束は、正極バックアップリード３１Ａ、正極中継リード３２Ａ及び正極端子リード３３Ａ等を含む１つ以上の正極リードを介して、電極端子２７の対応する一方（正極端子）に電気的に接続される。正極集電タブ２１Ｄと正極リードとの間の接続、正極リード同士の接続、及び、正極リードと正極端子との間の接続は、超音波溶接等の溶接によって、行われる。ここで、正極リードは、導電性を有する金属から形成される。また、正極端子（２７の対応する一方）、正極集電タブ２１Ｄ及び正極リードは、絶縁部材（図示しない）等によって、外装部３（外装部材５，６）に対して電気的に絶縁される。
【００３６】
同様に、電極群１０の負極集電タブ２２Ｄは、超音波溶接等の溶接によって束ねられる。そして、負極集電タブ２２Ｄの束は、負極バックアップリード３１Ｂ、負極中継リード３２Ｂ及び負極端子リード３３Ｂ等を含む１つ以上の負極リードを介して、電極端子２７の対応する一方（負極端子）に電気的に接続される。負極集電タブ２２Ｄと負極リードとの間の接続、負極リード同士の接続、及び、負極リードと負極端子との間の接続は、超音波溶接等の溶接によって、行われる。ここで、負極リードは、導電性を有する金属から形成される。また、負極端子（２７の対応する一方）、負極集電タブ２２Ｄ及び負極リードは、絶縁部材（図示しない）等によって、外装部３（外装部材５，６）に対して電気的に絶縁される。
【００３７】
［電池アセンブリ］
次に、電池アセンブリについて説明する。電池アセンブリは、前述の電池１に加えて、電池１に取付けられるカバー部材４１を備える。図５及び図６は、電池アセンブリ４０の一例を示す。図５及び図６に示すように、電池アセンブリ４０でも、電池１と同様に、縦方向（矢印Ｘ１及び矢印Ｘ２で示す方向）、縦方向に対して交差する（垂直又は略垂直な）横方向（矢印Ｙ１及び矢印Ｙ２で示す方向）、及び、縦方向及び横方向の両方に対して交差する（垂直又は略垂直な）高さ方向（矢印Ｚ１及び矢印Ｚ２で示す方向）が、規定される。また、電池アセンブリ４０では、高さ方向についての寸法が、縦方向についての寸法、及び、横方向についての寸法のそれぞれに比べて、遥かに小さくなる。なお、図６は、横方向の一方側から電池アセンブリ４０を視た状態を示す。
【００３８】
カバー部材４１は、略板状に形成され、土台４２と、一対の側板部４３と、を備える。土台４２は、電池１の第１の外装部材５の底壁７と対向し、底壁７の外表面に当接する。電池アセンブリ４０では、土台４２は、底壁７に対して平行又は略平行に延設され、電池アセンブリ４０の縦方向及び横方向に対して平行又は略平行に延設される。このため、土台４２では、カバー部材４１の厚さ方向が、電池アセンブリ４０の高さ方向と一致又は略一致する。本実施形態では、土台４２は、底壁７の外表面の全体又は略全体と面接触する。ただし、土台４２は、電極端子２７のそれぞれとは接触しない。土台４２は、周壁４（側壁８，９）に対して外周側（外側）へ突出する。また、土台４２は、電極端子２７に対して、横方向について外側へ突出する。
【００３９】
側板部４３のそれぞれは、一対の側壁８の対応する一方に対する土台４２の突出端又はその近傍から、フランジ１３（第２の外装部材６）が位置する側へ延設される。側板部４３のそれぞれは、側壁（第２の側壁）８に対して平行又は略平行に延設され、電池アセンブリの横方向及び厚さ方向に対して平行又は略平行に延設される。このため、側板部４３のそれぞれでは、カバー部材４１の厚さ方向が、電池アセンブリ４０の縦方向と一致又は略一致する。
【００４０】
側板部４３のそれぞれは、電池１の周方向について、側壁８の対応する一方が延設される範囲の全体又は略全体に渡って、設けられる。したがって、本実施形態では、側板部４３は、電池１の周方向について、側壁（第１の側壁）９が延設される範囲、及び、電極端子２７が位置する範囲には、設けられない。側板部４３のそれぞれは、縦方向について外側から側壁８の対応する一方と対向する。そして、側板部４３のそれぞれは、側壁８の対応する一方との間に隙間を有する状態で、側壁８の対応する一方の外表面と対向する。前述のような構成であるため、側板部４３は、電池１の周方向について一対の電極端子２７のいずれからも離れた範囲において、周壁４に外周側から対向する。そして、電池１の周方向について側壁８が延設される範囲では、側壁（第２の側壁）８のそれぞれと側板部４３の対応する一方との間に、隙間が電池アセンブリ４０の横方向に沿って形成される。
【００４１】
本実施形態では、側板部４３のそれぞれは、フランジ１３及び第２の外装部材６を超えて、土台４２が位置する側とは反対側へ向かって延設される。また、本実施形態では、側板部４３のそれぞれは、フランジ１３及び第２の外装部材６のそれぞれの突出端（外装部３の外周端Ｅ）に対して外側を通って、延設される。そして、側板部４３のそれぞれは、第２の外装部材６から、高さ方向について底壁７が位置する側とは反対側へ突出する。
【００４２】
カバー部材４１は、全体が絶縁性を有する樹脂等の絶縁層から形成されてもよく、絶縁層及び金属層が積層された構造であってもよい。ただし、土台４２及び側板部４３において、第１の外装部材５が位置する側とは反対側を向く表面の全体又は略全体が、絶縁層から形成されることが、好ましい。ここで、絶縁層を形成する樹脂としては、ポリエチレン、ポリプロピレン等が挙げられる。また、例えば絶縁層及び金属層からカバー部材４１が形成される場合、カバー部材４１では、絶縁層の層厚は、０．０５ｍｍ以上０．３ｍｍ以下程度である。そして、カバー部材４１の厚さは、０．６ｍｍ以上１．２ｍｍ以下程度となり、微小である。
【００４３】
また、側板部４３のそれぞれは、延設部４５，４６と、延設部４５，４６の間に形成される段差４７と、を備える。延設部（第１のカバー延設部）４５に対して、延設部（第２のカバー延設部）４６は、土台４２が位置する側とは反対側に配置される。そして、側板部４３のそれぞれでは、延設部４５が土台４２と連続し、延設部４６が第２の外装部材６から底壁７が位置する側とは反対側へ突出する。延設部４６は、段差４７によって、延設部４５に対して縦方向について外側に配置される。すなわち、延設部４６が延設部４５に対して外側（外周側）に位置する状態に、段差４７が、延設部４５，４６の間に形成される。
【００４４】
［電池モジュール］  
次に、前述の電池アセンブリ４０等の電池アセンブリを複数備える電池モジュールについて説明する。図７及び図８は、電池モジュール５０の一例を示す。図７及び図８に示すように、電池モジュール５０では、複数の電池アセンブリ４０が積層方向（矢印Ｚ３及び矢印Ｚ４で示す方向）について積層される（配列される）。このため、電池モジュール５０では、複数の電池１が積層方向（配列方向）について積層される。ここで、電池モジュール５０では、積層方向に対して交差する（垂直又は略垂直な）第１の交差方向（矢印Ｙ３及び矢印Ｙ４で示す方向）、及び、積層方向及び第１の交差方向の両方に対して交差する（垂直又は略垂直な）第２の交差方向（矢印Ｘ３及び矢印Ｘ４で示す方向）が、規定される。  また、積層方向に沿う電池モジュール５０の仮想上の中心軸を規定する。積層方向に対して交差する方向である第１の交差方向及び第２の交差方向に関しては、仮想上の中心軸から離れる側を外側（外周側）と規定し、仮想上の中心軸に近づく側を内側（内周側）と規定する。
【００４５】
電池モジュール５０では、複数の電池アセンブリ４０のそれぞれは、高さ方向が積層方向（配列方向）と一致又は略一致する状態で、配置される。そして、電池アセンブリ４０のそれぞれは、横方向が第１の交差方向と一致又は略一致し、かつ、縦方向が第２の交差方向と一致又は略一致する状態で、配置される。したがって、電池モジュール５０では、複数の電池１のそれぞれは、高さ方向が積層方向に沿う状態で配置される。そして、電池１のそれぞれは、横方向が第１の交差方向に沿い、かつ、縦方向が第２の交差方向に沿う状態で、配置される。
【００４６】
また、電池モジュール５０では、電池アセンブリ４０の積層体が、収納される空洞が基板５１，５２等を含むフレームによって、規定される。すなわち、電池モジュール５０では、基板５１，５２等を含むフレームによって囲まれる空洞に、電池アセンブリ４０の積層体が配置される。基板５１は、積層方向について一方側（矢印Ｚ４側）から、電池アセンブリ４０の積層体に対向する。また、基板５２は、第１の交差方向について一方側（矢印Ｙ４側）から、電池アセンブリ４０の積層体に対向する。なお、図７は、電池アセンブリ４０の積層体を囲むフレームにおいて基板５１，５２のみが示される。また、図８では、フレームを省略して示す。なお、図７等では示されていないが、電池モジュール５０では、基板５１と同様の基板が、積層方向について基板５１とは反対側（矢印Ｚ３側）から、電池アセンブリ４０の積層体に対向する。同様に、電池モジュール５０では、基板５２と同様の基板が、第１の交差方向について基板５１とは反対側（矢印Ｙ３側）から、電池アセンブリ４０の積層体に対向する。
【００４７】
また、電池モジュール５０には、複数のバスバー５５が設けられるとともに、バスバー５５と同一の数だけ係合部材５６が設けられる。バスバー５５のそれぞれは、導電性を有する金属から形成される。バスバー５５のそれぞれは、電池１の中で積層方向について隣り合う対応する２つの間を電気的に接続する。また、係合部材５６のそれぞれは、例えば、電気的絶縁性を有する樹脂等から形成される。
【００４８】
ここで、複数の電池アセンブリ４０の中で互いに対して隣り合って配置される（積層される）２つを電池アセンブリ４０α，４０βとする。図７及び図８等の一例では、電池アセンブリ（第１の電池アセンブリ）４０αは、電池アセンブリ４０のいずれか１つであり、電池アセンブリ（第２の電池アセンブリ）４０βは、電池アセンブリ４０の中で、電池アセンブリ４０αに対して矢印Ｚ３側に隣り合う１つである。電池アセンブリ４０αでは、電池１を電池（第１の電池）１αとし、カバー部材４１をカバー部材（第１のカバー部材）４１αをとする。また、電池アセンブリ４０βでは、電池１を電池（第２の電池）１βとし、カバー部材４１をカバー部材（第２のカバー部材）４１βとする。そして、電池１αでは、一対の電極端子２７を電極端子（第１の電極端子）２７αとし、電池１βでは、一対の電極端子２７を電極端子（第２の電極端子）２７βとする。
【００４９】
図９及び図１０は、バスバー５５のある１つ及びその近傍の構成を示す。また、図１１及び図１２は、互いに対して隣り合って配置される２つの電池アセンブリ４０α，４０β及びそれら近傍の構成を示す。なお、図１０及び図１２は、電池モジュール５０の第２の交差方向に対して垂直又は略垂直な断面、すなわち、電池アセンブリ４０α，４０βの縦方向に対して垂直又は略垂直な断面を示す。
【００５０】
図１１及び図１２等に示すように、電池モジュール５０では、電池（第１の電池）１αの底壁７は、カバー部材４１αの土台４２を間に挟んで、電池（第２の電池）１βの第２の外装部材６と対向する。このため、電池アセンブリ４０αのカバー部材４１αによって、電池１βの第２の外装部材６への電池１αの底壁７の接触が、防止される。これにより、電池１α，１βの外装部３同士の接触が防止され、電池１α，１βの外装部３同士が電気的に接続されることが、有効に防止される。前述のような構成であるため、電池モジュール５０では、カバー部材（第１のカバー部材）４１αの土台４２によって、積層方向について電池１α，１βの間を仕切る仕切り壁が、形成される。また、カバー部材４１αの土台４２は、第１の交差方向について、電池１αの電極端子２７α及び電池１βの電極端子２７βに対して外側（外周側）へ突出する。
【００５１】
互いに対して隣り合って積層される電池１α，１βは、バスバー５５の１つによって、以下のようにして電気的に接続される。電池モジュール５０では、電池（第１の電池）１αの一対の電極端子２７αの対応する一方である第１の対象端子が、電池（第２の電池）１βの電極端子２７βの対応する一方である第２の対象端子に、バスバー５５を介して電気的に接続される。バスバー５５によって電気的に接続される電池１αの第１の対象端子（２７αの対応する一方）及び電池１βの第２の対象端子（２７βの対応する一方）は、第１の交差方向について、電池モジュール５０の中央位置に対して同一の側に、位置する。すなわち、第１の対象端子（２７αの対応する一方）、第２の対象端子（２７βの対応する一方）及びバスバー５５は、第１の交差方向について、電池１α，１βの電極群１０に対して同一の側に、位置する。
【００５２】
なお、図１１及び図１２の一例では、電池１α，１βは、電気的に直列に接続される。したがって、バスバー５５よって接続される第１の対象端子及び第２の対象端子は、一方が正極端子で、他方が負極端子である。また、別のある一例では、電池１α，１βが、２つのバスバー５５を用いて電気的に並列に接続されてもよい。この場合、第１の交差方向について電池モジュール５０の中央位置に対して一方側で、電池１α，１βの正極端子同士が、バスバー５５の一方によって接続される。そして、第１の交差方向について電池モジュール５０の中央位置に対して他方側で、電池１α，１βの負極端子同士が、バスバー５５の他方によって接続される。
【００５３】
図９乃至図１２等に示すように、バスバー５５のそれぞれは、第１のコネクタ６１及び第２のコネクタ６２を備える。互いに対して隣り合う電池１α，１βを接続するバスバー５５では、第１のコネクタ６１に、電池（第１の電池）１αの第１の対象端子（２７αの対応する一方）に接触する第１の接触部６３が、設けられる。そして、第２のコネクタ６２に、電池（第２の電池）１βの第２の対象端子（２７βの対応する一方）に接触する第２の接触部６５が、設けられる。第１の接触部６３は、第１の交差方向（電池１αの横方向）について外側から第１の対象端子（２７αの対応する一方）に接触し、溶接等によって第１の対象端子（２７αの対応する一方）に接続される。また、第２の接触部６５は、第１の交差方向（電池１βの横方向）について外側から第２の対象端子（２７βの対応する一方）に接触し、溶接等によって第２の対象端子（２７βの対応する一方）に接続される。
【００５４】
また、バスバー５５のそれぞれは、第１のコネクタ６１（第１の接触部６３）と第２のコネクタ６２（第２の接触部）６５との間を中継する一対のバー中継部６６を備える。互いに対して隣り合う電池１α，１βを接続するバスバー５５では、バー中継部６６のそれぞれは、カバー部材４１αの土台４２を超えて、コネクタ６１，６２の間を中継する。すなわち、バー中継部６６のそれぞれは、電池１α，１βの間の仕切り壁を越えて、コネクタ６１，６２の間を積層方向に沿って延設される。互いに対して隣り合う電池１α，１βを接続するバスバー５５では、一対のバー中継部６６は、第２の交差方向（電池１α，１βの縦方向）について、互いに対して離れて配置される。前述のような構成であるため、互いに対して隣り合う電池１α，１βを接続するバスバー５５は、第１の交差方向の外側から視て、略Ｏ字状になる。
【００５５】
また、電池１α，１βを接続するバスバー５５では、バー中継部６６のそれぞれは、中継部分７１〜７３を備える。中継部分（第１の中継部分）７１は、第１の交差方向について外側へ、第１のコネクタ６１から延設される。中継部分（第２の中継部分）７２は、第１の交差方向について外側へ、第２のコネクタ６２から延設される。中継部分（第３の中継部分）７３は、中継部分７１，７２の間に積層方向に沿って連続する。前述のような構成であるため、電池１α，１βを接続するバスバー５５では、バー中継部６６は、第１の交差方向について、カバー部材４１αの土台４２に対して外側の領域を通って、延設される。そして、バー中継部６６のそれぞれの中継部分７３は、第１の交差方向について、土台（仕切り壁）４２の突出端に対して外側（外周側）に配置される。また、バー中継部６６のそれぞれは、第２の交差方向から視て、略Ｕ字状になる。
【００５６】
また、電池１α，１βを接続するバスバー５５では、第１のコネクタ６１に貫通孔Ｃ１が形成され、第２のコネクタ６２に貫通孔Ｃ２が形成される。図９乃至図１２等の一例では、貫通孔Ｃ１，Ｃ２のそれぞれは、第２の交差方向（電池１α，１βの縦方向）に沿って長孔状に形成される。第１のコネクタ６１では、貫通孔Ｃ１の縁及びその近傍が、第１の対象端子（２７αの対応する一方）に接触する第１の接触部６３となる。そして、第２のコネクタ６２では、貫通孔Ｃ２の縁及びその近傍が、第２の対象端子（２７βの対応する一方）に接触する第２の接触部６５となる。
【００５７】
また、図９乃至図１２等の一例では、第１のコネクタ６１は、第１の接触部６３から積層方向について電池１β（第２のコネクタ６２）が位置する側へ延設されるエクステンション部分７７を備える。バスバー５５では、エクステンション部分７７は、第２の交差方向について、バー中継部６６の間に位置する。また、第２のコネクタ６２は、第２の接触部６５から積層方向について電池１α（第１のコネクタ６１）が位置する側とは反対側へ延設されるエクステンション部分７８を備える。
【００５８】
電池１α，１βを接続するバスバー５５は、係合部材５６の対応する１つを介して、カバー部材４１αの土台４２に連結される。すなわち、バスバー５５は、電池１α，１βの間の仕切り壁に連結される。土台４２では、第１の対象端子（２７αの対応する一方）及び第２の対象端子（２７βの対応する一方）に対する第１の交差方向の外側への突出部分に、バスバー５５が連結される。
【００５９】
係合部材５６の対応する１つは、カバー部材４１αの土台（仕切り壁）４２において、第１の対象端子（２７αの対応する一方）及び第２の対象端子（２７βの対応する一方）に対する突出部分に係合する。そして、係合部材５６の対応する１つは、第１の交差方向について外側から、土台４２に取付けられる。また、係合部材５６のそれぞれは、一対の突起６７を備える。カバー部材４１αの土台４２に係合する係合部材５６では、突起６７は、第２の交差方向（電池１α，１βの縦方向）について、互いに対して離れて配置される。
【００６０】
電池１α，１βを接続するバスバー５５では、バー中継部６６のそれぞれが、係合部材５６の対応する１つの一対の突起６７の対応する一方と係合する。これにより、バスバー５５が、バー中継部６６で係合部材５６の対応する１つに取付けられる。そして、バスバー５５は、バー中継部６６において、係合部材５６の対応する１つを介して、カバー部材４１αの土台（仕切り壁）４２に連結される。したがって、バスバー５５は、電池１α，１βの間の仕切り壁の第１の対象端子（２７αの対応する一方）及び第２の対象端子（２７βの対応する一方）に対する突出部分に、第１の接触部６３と第２の接触部６５との間において連結される。
【００６１】
また、図７乃至図１２等の一例では、係合部材５６のそれぞれに、一対の挿入片５７が設けられる。係合部材５６のそれぞれでは、一対の挿入片５７は、第２の交差方向について、互いに対して離れて配置される。また、電池モジュール５０では、基板５２、及び、電池アセンブリ４０の積層体を挟んで基板５２と対向する基板（図示しない）のそれぞれに、複数の凹部５８が形成される。係合部材５６の全てにおける挿入片５７の合計数は、基板５２等から形成されるフレームにおける凹部５８の合計数と同一である。そして、図７等の一例では、係合部材５６の全てにおける挿入片５７の合計数は、係合部材５６の数の２倍であり、バスバー５５の数の２倍である。
【００６２】
凹部５８のそれぞれは、第１の交差方向について内側へ向かって凹む。そして、挿入片５７のそれぞれは、凹部５８の対応する１つに、第２の交差方向の内側から挿入される。また、挿入片５７のそれぞれの積層方向についての寸法は、凹部５８の対応する１つの積層方向についての寸法に比べて、小さい。
【００６３】
また、互いに対して隣り合う電池アセンブリ４０α，４０βでは、カバー部材（第２のカバー部材）４１βの側板部４３のそれぞれの延設部（第２のカバー延設部）４６は、電池１βの第２の外装部材６から、電池１αが位置する側へ突出する。そして、カバー部材（第２のカバー部材）４１βの延設部（第２のカバー延設部）４６のそれぞれは、カバー部材（第１のカバー部材）４１αの側板部４３の対応する一方の延設部（第１のカバー延設部）４５に、第２の交差方向について外側（外周側）から当接する。これにより、電池アセンブリ４０αの電池アセンブリ４０βに対する第２の交差方向（電池１α，１βの縦方向）についての移動が、規制される。
【００６４】
次に、電池モジュール５０の製造について説明する。電池モジュール５０を組み立てる際には、基板５１，５２等を含むフレームによって囲まれる空洞に、複数の電池アセンブリ４０を積層し、電池アセンブリ４０の積層体を形成する。これにより、互いに対して隣って積層される電池アセンブリ４０α，４０βでは、カバー部材（第１のカバー部材）４１αの土台４２によって、電池１α，１βの間の仕切り壁が形成される。
【００６５】
そして、バスバー５５のそれぞれによって、電池１の中で積層方向について隣り合う対応する２つの間を電気的に接続する。互いに対して隣り合う電池１α，１βの間は、バスバー５５の１つによって、電気的に接続する。この際、まず、バスバー５５の１つを、係合部材５６の対応する１つに取付ける。バスバー５５は、バー中継部６６のそれぞれを、一対の突起６７の対応する一方と係合することにより、係合部材５６に取付けられる。
【００６６】
そして、係合部材５６の一対の挿入片５７のそれぞれを、フレームの凹部５８の対応する１つに挿入する。そして、挿入片５７のそれぞれが凹部５８の対応する１つに挿入された状態で、カバー部材４１αの土台４２に、係合部材５６を取付ける。この際、係合部材５６は、カバー部材４１αの土台（仕切り壁）４２において、第１の対象端子（２７αの対応する一方）及び第２の対象端子（２７βの対応する一方）に対する突出部分に係合する。これにより、バスバー５５は、バー中継部６６において、係合部材５６の対応する１つを介して、カバー部材４１αの土台（仕切り壁）４２に連結される。
【００６７】
ここで、挿入片５７のそれぞれの積層方向についての寸法は、凹部５８の対応する１つの積層方向についての寸法に比べて、小さい。このため、バスバー５５をカバー部材４１αの土台４２に連結する前においては、係合部材５６の挿入片５７のそれぞれは、凹部５８の対応する１つの内部を、電池１の積層方向に沿って移動可能である。このため、バスバー５５をカバー部材４１αの土台４２に連結する前においては、バスバー５５及び係合部材５６は、挿入片５７が移動可能な範囲において、フレームに対して電池１の積層方向に沿って移動可能である。したがって、本実施形態では、カバー部材４１αの土台４２へ連結し易い位置に、バスバー５５及び係合部材５６の積層方向についての位置を調整可能である。これにより、カバー部材４１αの土台４２へ係合部材５６を係合させる作業、すなわち、電池１α，１βの間の仕切り壁へバスバー５５を連結する作業において、作業性が向上する。
【００６８】
カバー部材４１αの土台４２へバスバー５５を連結すると、バスバー５５の第１のコネクタ６１を電池（第１の電池）１αの第１の対象端子（２７αの対応する一方）に接触させ、第１の接触部６３を形成する。同様に、バスバー５５の第２のコネクタ６２を電池（第２の電池）１βの第２の対象端子（２７βの対応する一方）に接触させ、第２の接触部６５を形成する。そして、第１の接触部６３を第１の対象端子（２７αの対応する一方）に溶接するとともに、第２の接触部６５を第２の対象端子（２７βの対応する一方）に溶接する。これにより、電池１αの第１の対象端子（２７αの対応する一方）と電池１βの第２の対象端子（２７βの対応する一方）との間が、バスバー５５によって電気的に接続される。
【００６９】
ここで、電池モジュール５０では、電池１（電池アセンブリ４０）ごとに寸法等がばらつくことがある。この場合、電池１α，１βでは、バスバー５５によって接続される２つの対象端子（第１の対象端子及び第２の対象端子）の位置が、積層方向に対して交差する方向について互いに対してずれる可能性がある。すなわち、第１の対象端子（２７αの対応する一方）及び第２の対象端子（２７βの対応する一方）が、例えば第１の交差方向について互いに対してずれる可能性がある。ある電池モジュール５０では、電池１βの第２の対象端子（２７βの対応する一方）が、電池１αの第１の対象端子（２７αの対応する一方）に対して、第１の交差方向について内側にずれることがある。また、別のある電池モジュール５０では、電池１βの第２の対象端子（２７βの対応する一方）が、電池１αの第１の対象端子（２７αの対応する一方）に対して、第１の交差方向について外側にずれることがある。
【００７０】
本実施形態では、第１の対象端子（２７αの対応する１つ）及び第２の対象端子（２７βの対応する１つ）へバスバー５５を溶接する前においては、バスバー５５及び係合部材５６は、電池アセンブリ４０α，４０βに対して、揺動軸（回動軸）Ｐ１を中心として一緒に揺動可能（回動可能）である。揺動軸Ｐ１は、カバー部材４１αの土台４２と係合部材５６との係合部分を通り、かつ、第２の交差方向に沿って延設される。バスバー５５及び係合部材５６が一緒に揺動軸Ｐ１を中心として揺動することにより、第１のコネクタ６１が第１の対象端子（２７αの対応する一方）に接触し、かつ、第２のコネクタ６２が第２の対象端子（２７βの対応する一方）に接触する状態に、バスバー５５を調整し易くなる。すなわち、第１のコネクタ６１が第１の対象端子（２７αの対応する一方）に接触し、かつ、第２のコネクタ６２が第２の対象端子（２７βの対応する一方）に接触する状態を、形成し易くなる。
【００７１】
第１のコネクタ６１が第１の対象端子（２７αの対応する一方）に接触し、かつ、第２のコネクタ６２が第２の対象端子（２７βの対応する一方）に接触する状態が容易に形成されるため、第１のコネクタ６１を第１の対象端子（２７αの対応する一方）に溶接し易くなり、第２のコネクタ６２を第２の対象端子（２７βの対応する一方）に溶接し易くなる。したがって、本実施形態では、バスバー５５によって接続される２つの対象端子の位置が、積層方向に対して交差する方向（例えば第１の交差方向）について互いに対してずれても、２つの対象端子をバスバー５５によって接続する作業の作業効率が確保される。すなわち、バスバー５５によって接続される２つの対象端子の相対位置に関係なく、２つの対象端子をバスバー５５によって接続する作業の作業効率が確保される
また、第１のコネクタ６１を第１の対象端子（２７αの対応する一方）に溶接し易くなることにより、バスバー５５が第１の対象端子（２７αの対応する一方）に適切に接続される。そして、第２のコネクタ６２を第２の対象端子（２７βの対応する一方）に溶接し易くなることにより、バスバー５５が第２の対象端子（２７βの対応する一方）に適切に接続される。２つの対象端子にバスバー５５が適切に接続されることにより、電池モジュール５０の信頼性が確保される。すなわち、バスバー５５によって接続される２つの対象端子の相対位置に関係なく、２つの対象端子にバスバー５５が適切に接続され、電池モジュール５０の信頼性が確保される。
【００７２】
また、本実施形態では、カバー部材（第２のカバー部材）４１βの延設部（第２のカバー延設部）４６は、カバー部材（第１のカバー部材）４１αの側板部４３の延設部（第１のカバー延設部）４５に、第２の交差方向について外側（外周側）から当接する。これにより、電池アセンブリ４０αの電池アセンブリ４０βに対する第２の交差方向（電池１α，１βの縦方向）についての移動が、規制される。電池アセンブリ４０αの電池アセンブリ４０βに対する第２の交差方向についての移動が規制されることにより、電池モジュール５０において、電池アセンブリ４０α，４０βが互いに対して分離し難くなる。これにより、電池モジュール５０の衝撃に対する強度が向上する。
【００７３】
（第１の実施形態の変形例）  
なお、ある変形例では、バスバー５５のそれぞれにおいて、エクステンション部分７７，７８が設けられない。この場合、電池モジュール５０の製造時において、第１のコネクタ６１の第１の接触部６３を第１の対象端子（２７αの対応する１つ）に溶接した後に、エクステンション部分７７をカットする。そして、第２のコネクタ６２の第２の接触部６５を第２の対象端子（２７βの対応する１つ）に溶接した後に、エクステンション部分７８をカットする。
【００７４】
また、図１３に示すある変形例でも、電池１α，１βの間を接続するバスバー５５に、第１のコネクタ６１及び第２のコネクタ６２が設けられる。ただし、本変形例では、第１のコネクタ６１において第１の対象端子（２７αの対応する一方）に接触する第１の接触部６３は、第２の交差方向（電池１αの縦方向）に沿う線状に形成される。また、第２のコネクタ６２において第２の対象端子（２７βの対応する一方）に接触する第２の接触部６５は、第２の交差方向（電池１βの縦方向）に沿う線状に形成される。
【００７５】
また、電池１α，１βの間を接続するバスバー５５では、第１のコネクタ６１に延設部（第１のバー延設部）８１が設けられ、第２のコネクタ６２に延設部（第２のバー延設部）８２が設けられる。延設部８１は、第１の接触部６３から、積層方向について電池（第２の電池）１βが位置する側とは反対側へ延設される。延設部８２は、第２の接触部６５から、積層方向について電池（第１の電池）１αが位置する側へ延設される。また、本変形例では、バー中継部６６によって、延設部８１，８２の間が中継される。延設部８１は、第１の接触部６３が位置する側の端で、バー中継部６６と連続する。また、延設部８２は、第２の接触部６５が位置する側とは反対側の端で、バー中継部６６と連続する。本変形例でも、バー中継部６６は、コネクタ６１，６２の間において、カバー部材４１αの土台（仕切り壁）４２を越えて延設される。そして、バスバー５５は、バー中継部６６において、電池１α，１βの間の仕切り壁に連結される。
【００７６】
延設部（第１のバー延設部）８１は、積層方向について電池（第２の電池）１βから離れるほど積層方向に交差する方向について外側に位置する状態に、延設される。すなわち、延設部８１は、積層方向についてバー中継部６６から離れるほど第１の交差方向について外側に位置する状態に、延設される。また、延設部（第２のバー延設部）８２は、積層方向について電池（第１の電池）１αに近づくほど積層方向に交差する方向について外側に位置する状態に、延設される。すなわち、延設部８２は、積層方向についてバー中継部６６に近づくほど第１の交差方向について外側に位置する状態に、延設される。
【００７７】
前述のような構成にすることにより、本変形例では、第１のコネクタ６１が第１の対象端子（２７αの対応する一方）に第１の接触部６３で接触し、かつ、第２のコネクタ６２が第２の対象端子（２７βの対応する一方）に第２の接触部６５で接触する状態が、より形成され易くなる。このため、２つの対象端子をバスバー５５によって接続する作業の作業効率が、向上する。また、２つの対象端子にバスバー５５がより適切に接続され、電池モジュール５０の信頼性が向上する。
【００７８】
また、前述の実施形態等では、カバー部材４１αの土台４２によって、電池１α，１βの間の仕切り壁が形成されるが、これに限るものではない。ある変形例では、カバー部材４１の代わりに、電池１α，１βの間に仕切り板が設けられ、仕切り板によって、電池１α，１βの間の仕切り壁が形成される。本変形例でも、仕切り板は、少なくとも一部が電気的絶縁性を有する材料から形成される。そして、仕切り壁（仕切り板）によって、電池１α，１βの外装部３同士の接触が防止され、電池１α，１βの外装部３同士が電気的に接続されることが、有効に防止される。
【００７９】
そして、本変形例でも、電池１α，１βの間の仕切り壁は、積層方向に交差する方向（第１の交差方向）について、電極端子２７α，２７βに対して外側に突出する。そして、電池１α，１βを電気的に接続するバスバー５５は、仕切り壁の第１の対象端子（２７αの対応する一方）及び第２の対象端子（２７βの対応する一方）に対する突出部分に、第１の接触部６３と第２の接触部６５との間において連結される。
【００８０】
ある変形例では、第２の外装部材（蓋部材）６が、板状ではなく、第１の外装部材５と同様に、一面が開口する略直方体形状に形成される。この場合、第２の外装部材６は、頂壁１５に加えて、第１の外装部材５と同様に周壁及びフランジを備える。そして、第１の外装部材５のフランジ１３及び第２の外装部材６のフランジが、気密に溶接される。ただし、この場合でも、電池１（外装部３）は、高さ方向についての寸法が縦方向の寸法及び横方向の寸法のそれぞれに比べて小さい扁平形状に形成される。そして、内部空洞１１において、底壁７と第２の外装部材６（頂壁１５）との間の高さ方向についての寸法は、一対の側壁（第２の側壁）８の間の縦方向についての寸法、及び、一対の側壁（第１の側壁）９の間の横方向について寸法のそれぞれに比べて小さくなる。
【００８１】
（第２の実施形態）  
次に、第２の実施形態に係る電池モジュール及びその電池モジュールに用いられる電池の単体について説明する。
【００８２】
［電池］  
まず、電池１０１単体について説明する。図１４は、第２の実施形態に係る電池モジュールに用いられる電池１０１の単体の一例を示す。電池１は、例えば二次電池である。
【００８３】
図１４に示すように、電池１０１は、外装容器（外装部）１０３を備える。外装容器１０３は、アルミニウム、アルミニウム合金、鉄又はステンレス等の金属から形成される。また、外装容器１０３の内部には、内部空洞（図示しない）が形成される。電池１０１及び外装容器１０３では、縦方向（矢印Ｘ５及び矢印Ｘ６で示す方向）、縦方向に対して交差する（垂直又は略垂直な）横方向（矢印Ｙ５及び矢印Ｙ６で示す方向）、及び、縦方向及び横方向の両方に対して交差する（垂直又は略垂直な）高さ方向（矢印Ｚ５及び矢印Ｚ６で示す方向）が、規定される。
【００８４】
外装容器１０３は、容器本体１０５及び蓋部材１０６を備える。本実施形態では、容器本体１０５は、底壁１０７及び周壁１０４を有し、一面が開口した略直方体状に形成される。底壁１０７は、内部空洞に対して高さ方向の一方側（矢印Ｚ６側）に位置する。また、周壁１０４は、外装容器１０３の周方向に沿って延設され、内部空洞の外周側は、周壁１０４によって囲まれる。また、内部空洞は、高さ方向について、底壁１０７が位置する側とは反対側（矢印Ｚ５側）に向かって開口する。
【００８５】
周壁１０４は、二対の側壁１０８，１０９を備える。一対の側壁１０８は、縦方向について内部空洞を挟んで対向する。そして、一対の側壁１０９は、横方向について内部空洞を挟んで対向する。側壁１０８のそれぞれは、側壁１０９の間に、横方向に沿って連続して延設される。また、側壁１０９のそれぞれは、側壁１０８の間に、縦方向に沿って連続して延設される。
【００８６】
蓋部材１０６は、内部空洞の開口において、容器本体１０５に取付けられる。蓋部材１０６は、内部空洞の開口を塞ぐ。本実施形態では、蓋部材１０６の厚さ方向が電池１０１の高さ方向に対して一致又は略一致になる状態で、蓋部材１０６が設けられる。
【００８７】
本実施形態では、一対の側壁１０８の間の縦方向についての寸法は、底壁１０７と蓋部材１０６との間の高さ方向についての寸法、及び、一対の側壁１０９の間の横方向について寸法のそれぞれに比べて、遥かに小さい。このため、内部空洞では、縦方向についての寸法が、横方向についての寸法、及び、高さ方向についての寸法のそれぞれに比べて、遥かに小さくなる。また、外装容器１０３の肉厚は、外装容器１０３の全体に渡って均一又は略均一に形成される。したがって、電池１では、縦さ方向についての寸法が、横方向についての寸法、及び、高さ方向についての寸法のそれぞれに比べて、遥かに小さくなる。
【００８８】
また、外装容器１０３の内部空洞には、電極群が収納される。電極群は、例えば、第１の実施形態の電極群１０と同様の構成であり、正極２１、負極２２及びセパレータ２３，２５等から形成される。また、内部空洞では、電極群に、電解液等の電解質が含浸される。電解液は、第１の実施形態で前述した電解液のいずれかと同様の電解液が用いられる。また、電解液の代わりに、第１の実施形態で前述したゲル状電解質及び固体電解質等のいずれかが電解質として用いられてもよい。
【００８９】
本実施形態では、蓋部材１０６の外表面、すなわち、蓋部材１０６において底壁１０７とは反対側を向く面に、一対の電極端子１２７が取付けられる。電極端子１２７の一方が電池１０１の正極端子となり、電極端子１２７の他方が電池１０１の負極端子となる。電極端子１２７のそれぞれは、外部に露出する状態で、蓋部材１０６の外表面に取付けられる。本実施形態では、電極端子１２７は、横方向について互いに対して離れて配置される。そして、横方向についての電池１０１の中央位置は、電極端子１２７の間に位置する。電極端子１２７のそれぞれは、導電材料から形成され、例えば、アルミニウム、銅及びステンレス等のいずれかから形成される。
【００９０】
また、蓋部材１０６の外表面には、電気的に絶縁材料から形成される一対の絶縁部材１２８が設けられる。絶縁部材１２８のそれぞれは、蓋部材１０６の外表面と電極端子１２７の対応する一方との間に介在し、電極端子１２７の対応する一方を外装容器１０３に対して電気的に絶縁する。また、絶縁部材１２８は、横方向について、電池１０１の中央位置を挟んで互いに対して反対側に、配置される。
【００９１】
本実施形態でも、電極群の 正極集電タブは、超音波溶接等の溶接によって束ねられる。そして、正極集電タブの束は、１つ以上の正極リードを介して、電極端子１２７の対応する一方（正極端子）に電気的に接続される。この際、正極集電タブと正極リードとの間の接続、正極リード同士の接続、及び、正極リードと正極端子との間の接続は、超音波溶接等の溶接によって、行われる。ここで、正極リードは、導電性を有する金属から形成される。また、正極集電タブ及び正極リードは、絶縁部材（図示しない）等によって、外装容器１０３に対して電気的に絶縁される。
【００９２】
同様に、電極群の負極集電タブは、超音波溶接等の溶接によって束ねられる。そして、負極集電タブの束は、１つ以上の負極リードを介して、電極端子１２７の対応する一方（負極端子）に電気的に接続される。この際、負極集電タブと負極リードとの間の接続、負極リード同士の接続、及び、負極リードと負極端子との間の接続は、超音波溶接等の溶接によって、行われる。ここで、負極リードは、導電性を有する金属から形成される。また、負極集電タブ及び負極リードは、絶縁部材（図示しない）等によって、外装容器１０３に対して電気的に絶縁される。
【００９３】
［電池モジュール］  
次に、前述の電池１０１等の電池を複数備える電池モジュールについて説明する。図１５は、電池モジュール１５０の一例を示す。図１５に示すように、電池モジュール１５０では、複数の電池１０１が積層方向（矢印Ｘ７及び矢印Ｘ８で示す方向）について積層される（配列される）。ここで、電池モジュール１５０では、積層方向（配列方向）に対して交差する（垂直又は略垂直な）第１の交差方向（矢印Ｙ７及び矢印Ｙ８で示す方向）、及び、積層方向及び第１の交差方向の両方に対して交差する（垂直又は略垂直な）第２の交差方向（矢印Ｚ７及び矢印Ｚ８で示す方向）が、規定される。また、積層方向に沿う電池モジュール１５０の仮想上の中心軸を規定する。積層方向に対して交差する方向である第１の交差方向及び第２の交差方向に関しては、仮想上の中心軸から離れる側を外側（外周側）と規定し、仮想上の中心軸に近づく側を内側（内周側）と規定する。
【００９４】
電池モジュール１５０では、複数の電池１０１のそれぞれは、縦方向が積層方向（配列方向）と一致又は略一致する状態で、配置される。そして、電池１０１のそれぞれは、横方向が第１の交差方向と一致又は略一致し、かつ、高さ方向が第２の交差方向と一致又は略一致する状態で、配置される。したがって、電池モジュール１５０では、複数の電池１０１のそれぞれは、縦方向が積層方向に沿う状態で配置される。そして、電池１０１のそれぞれは、横方向が第１の交差方向に沿い、かつ、高さ方向が第２の交差方向に沿う状態で、配置される。
【００９５】
また、本実施形態の電池モジュール１５０には、１つ以上のバスバー１５５が設けられる。バスバー１５５のそれぞれは、導電性を有する金属から形成される。バスバー１５５のそれぞれは、電池１０１の中で積層方向について隣り合う対応する２つの間を電気的に接続する。
【００９６】
ここで、複数の電池１０１の中で互いに対して隣り合って配置される（積層される）２つを電池１０１α，１０１βとする。図１５等の一例では、電池（第１の電池）１０１αは、電池１０１のいずれか１つであり、電池（第２の電池）１０１βは、電池１０１の中で、電池１０１αに対して矢印Ｘ８側に隣り合う１つである。そして、電池１０１αでは、一対の電極端子１２７を電極端子（第１の電極端子）１２７αとし、電池１０１βでは、一対の電極端子１２７を電極端子（第２の電極端子）１２７βとする。図１５では、電池モジュール１５０において、互いに対して隣り合って配置される２つの電池１０１α，１０１β及びそれら近傍の構成を示す。
【００９７】
図１５等に示すように、電池モジュール１５０では、電池（第１の電池）１０１αの側壁１０８の一方は、電池（第２の電池）１０１βの側壁１０８の一方と対向する。また、電池１０１αの蓋部材１０６の外表面は、第２の交差方向について、電池１０１βの蓋部材１０６の外表面と同一の側を向く。したがって、電池１０１αの蓋部材１０６及び電極端子１２７αは、第２の交差方向（電池１０１α，１０１βの高さ方向）について、電池モジュール１５０の中央位置に対して、電池１０１βの蓋部材１０６及び電極端子１２７βが位置する側に、位置する。
【００９８】
また、互いに対して隣り合って積層される電池１０１α，１０１βは、バスバー１５５の１つによって、以下のようにして電気的に接続される。電池モジュール１５０では、電池（第１の電池）１０１αの一対の電極端子１２７αの対応する一方である第１の対象端子が、電池（第２の電池）１０１βの電極端子１２７βの対応する一方である第２の対象端子に、バスバー１５５を介して電気的に接続される。バスバー１５５によって電気的に接続される電池１０１αの第１の対象端子（１２７αの対応する一方）及び電池１０１βの第２の対象端子（１２７βの対応する一方）は、第１の交差方向（電池１０１α，１０１βの横方向）について、電池モジュール１５０の中央位置に対して同一の側に、位置する。なお、図１５等の一例では、電池１０１α，１０１βは、電気的に直列に接続されるが、別のある一例では、電池１０１α，１０１βが、２つのバスバー１５５を用いて電気的に並列に接続されてもよい。
【００９９】
図１５等に示すように、バスバー１５５のそれぞれは、第１のコネクタ１６１及び第２のコネクタ１６２を備える。互いに対して隣り合う電池１０１α，１０１βを接続するバスバー１５５では、第１のコネクタ１６１に、電池（第１の電池）１０１αの第１の対象端子（１２７αの対応する一方）に接触する第１の接触部１６３が、設けられる。そして、第２のコネクタ１６２に、電池（第２の電池）１０１βの第２の対象端子（１２７βの対応する一方）に接触する第２の接触部１６５が、設けられる。第１の接触部１６３は、第２の交差方向（電池１０１αの高さ方向）について、底壁１０７が位置する側とは反対側から第１の対象端子（１２７αの対応する一方）に接触し、溶接等によって第１の対象端子（１２７αの対応する一方）に接続される。また、第２の接触部１６５は、第２の交差方向（電池１０１βの高さ方向）について、底壁１０７外位置する側とは反対側から第２の対象端子（１２７βの対応する一方）に接触し、溶接等によって第２の対象端子（１２７βの対応する一方）に接続される。
【０１００】
本実施形態では、第１のコネクタ１６１において第１の対象端子（１２７αの対応する一方）に接触する第１の接触部１６３は、第１の交差方向（電池１０１αの横方向）に沿う線状に形成される。また、第２のコネクタ１６２において第２の対象端子（１２７βの対応する一方）に接触する第２の接触部１６５は、第１の交差方向（電池１βの横方向）に沿う線状に形成される。
【０１０１】
また、電池１０１α，１０１βの間を接続するバスバー１５５では、第１のコネクタ１６１に延設部（第１のバー延設部）１８１が設けられ、第２のコネクタ１６２に延設部（第２のバー延設部）１８２が設けられる。延設部１８１は、第１の接触部１６３から、積層方向について電池（第２の電池）１０１βが位置する側とは反対側へ延設される。延設部１８２は、第２の接触部１６５から、積層方向について電池（第１の電池）１０１αが位置する側へ延設される。
【０１０２】
また、バスバー１５５のそれぞれは、第１のコネクタ１６１（第１の接触部１６３）と第２のコネクタ１６２（第２の接触部１６５）との間を中継するバー中継部１６６を備える。本実施形態では、バー中継部１６６によって、延設部１８１，１８２の間が中継される。延設部１８１は、第１の接触部１６３が位置する側の端で、バー中継部１６６と連続する。また、延設部１８２は、第２の接触部１６５が位置する側とは反対側の端で、バー中継部１６６と連続する。
【０１０３】
延設部（第１のバー延設部）１８１は、積層方向について電池（第２の電池）１０１βから離れるほど積層方向に交差する方向について外側に位置する状態に、延設される。すなわち、延設部８１は、積層方向についてバー中継部１６６から離れるほど第２の交差方向について外側に位置する状態に、延設される。また、延設部（第２のバー延設部）１８２は、積層方向について電池（第１の電池）１０１αに近づくほど積層方向に交差する方向について外側に位置する状態に、延設される。すなわち、延設部１８２は、積層方向についてバー中継部１６６に近づくほど第２の交差方向について外側に位置する状態に、延設される。また、バー中継部１６６は、積層方向について第２のコネクタ１６２に近づくほど積層方向に交差する方向について外側に位置する状態に、延設される。すなわち、バー中継部１６６は、延設部１８２に近づくほど第２の交差方向について外側に位置する状態に、延設される。
【０１０４】
次に、電池モジュール１５０の製造について説明する。電池モジュール１５０を組み立てる際には、複数の電池１０１を積層し、電池１０１の積層体を形成する。そして、バスバー１５５のそれぞれによって、電池１０１の中で積層方向について隣り合う対応する２つの間を電気的に接続する。互いに対して隣り合う電池１０１α，１０１βの間は、バスバー１５５の１つによって、電気的に接続する。この際、まず、バスバー１５５の第１のコネクタ１６１を電池（第１の電池）１０１αの第１の対象端子（１２７αの対応する一方）に、第１の接触部１６３で接触させる。その後、バスバー１５５の第２のコネクタ１６２を電池（第２の電池）１０１βの第２の対象端子（１２７βの対応する一方）に、第２の接触部１６５で接触させる。そして、第１の接触部１６３を第１の対象端子（１２７αの対応する一方）に溶接するとともに、第２の接触部１６５を第２の対象端子（１２７βの対応する一方）に溶接する。これにより、電池１０１αの第１の対象端子（１２７αの対応する一方）と電池１０１βの第２の対象端子（１２７βの対応する一方）との間が、バスバー１５５によって電気的に接続される。
【０１０５】
ここで、電池モジュール５０では、電池１０１ごとに寸法等がばらつくことがある。この場合、電池１０１α，１０１βでは、バスバー１５５によって接続される２つの対象端子（第１の対象端子及び第２の対象端子）の位置が、積層方向に対して交差する方向について互いに対してずれる可能性がある。すなわち、第１の対象端子（１２７αの対応する一方）及び第２の対象端子（１２７βの対応する一方）が、例えば第２の交差方向について互いに対してずれる可能性がある。
【０１０６】
図１６の一例の電池モジュール１５０では、電池１０１βの第２の対象端子（１２７βの対応する一方）が、電池１０１αの第１の対象端子（１２７αの対応する一方）に対して、第２の交差方向についてずれていない。図１７の一例の電池モジュール１５０では、電池１０１βの第２の対象端子（１２７βの対応する一方）が、電池１０１αの第１の対象端子（１２７αの対応する一方）に対して、第２の交差方向について内側（矢印Ｚ８側）にずれている。また、図１８の一例の電池モジュール１５０では、電池１０１βの第２の対象端子（１２７βの対応する一方）が、電池１０１αの第１の対象端子（矢印Ｚ７側）１２７αの対応する一方）に対して、第２の交差方向について外側にずれている。
【０１０７】
本実施形態では、第１の対象端子（１２７αの対応する１つ）及び第２の対象端子（１２７βの対応する１つ）へバスバー１５５を溶接する前においては、第１の接触部１６３を第１の対象端子（１２７αの対応する１つ）に接触させることにより、バスバー１５５は、電池１０１α，１０１βに対して、揺動軸（回動軸）Ｐ２を中心として揺動可能（回動可能）になる。揺動軸Ｐ２は、第１の接触部１６３に沿って延設され、第１の交差方向（電池１０１αの横方向）に沿って延設される。バスバー１５５が揺動軸Ｐ２を中心として揺動することにより、第１のコネクタ１６１の第１の接触部１６３が第１の対象端子（１２７αの対応する一方）に接触した状態において、第２のコネクタ１６２の第２の接触部１６５を第２の対象端子（１２７βの対応する一方）に接触させ易くなる。これにより、第１のコネクタ１６１（第１の接触部１６３）が第１の対象端子（１２７αの対応する一方）に接触し、かつ、第２のコネクタ１６２（第２の接触部１６５）が第２の対象端子（１２７βの対応する一方）に接触する状態を、形成し易くなる。
【０１０８】
第１のコネクタ１６１が第１の対象端子（１２７αの対応する一方）に接触し、かつ、第２のコネクタ１６２が第２の対象端子（１２７βの対応する一方）に接触する状態が容易に形成されるため、第１のコネクタ１６１を第１の対象端子（１２７αの対応する一方）に溶接し易くなり、第２のコネクタ１６２を第１の対象端子（１２７βの対応する一方）に溶接し易くなる。したがって、本実施形態でも、バスバー１５５によって接続される２つの対象端子の位置が、積層方向に対して交差する方向（例えば第２の交差方向）について互いに対してずれても、２つの対象端子をバスバー１５５によって接続する作業の作業効率が確保される。すなわち、バスバー１５５によって接続される２つの対象端子の相対位置に関係なく、２つの対象端子をバスバー１５５によって接続する作業の作業効率が確保される。
【０１０９】
また、第１のコネクタ１６１を第１の対象端子（１２７αの対応する一方）に溶接し易くなることにより、バスバー１５５が第１の対象端子（１２７αの対応する一方）に適切に接続される。そして、第２のコネクタ１６２を第２の対象端子（１２７βの対応する一方）に溶接し易くなることにより、バスバー１５５が第２の対象端子（１２７βの対応する一方）に適切に接続される。２つの対象端子にバスバー１５５が適切に接続されることにより、電池モジュール１５０の信頼性が確保される。すなわち、バスバー１５５によって接続される２つの対象端子の相対位置に関係なく、２つの対象端子にバスバー１５５が適切に接続され、電池モジュール１５０の信頼性が確保される。
【０１１０】
（その他の変形例）  
なお、ある変形例では、第２の実施形態のような電池１０１が複数積層される構成において、互い対して隣り合う電池１０１α，１０１βの間に仕切り板等が配置され、電池１０１α，１０１βの間に仕切り壁が形成される。この場合、第１の実施形態等と同様のバスバー５５によって、電池１０１，１０１βが電気的に接続されてもよい。この場合、バスバー（例えば５５）は、第１の接触部（例えば６３）と第２の接触部（例えば６５）との間において、仕切り壁に連結される。
【０１１１】
また、ある変形例では、第１の実施形態のような電池１０１が複数積層される構成において、互い対して隣り合う電池１０１α，１０１βが、第２の実施形態等と同様のバスバー１５５によって、電気的に接続されてもよい。この場合、電池１０１α，１０１βの間に仕切り壁が設けられてもよいが、バスバー（例えば１５５）は、仕切り壁に連結されない。
【０１１２】
また、前述の実施形態等では、外装部３又は外装容器１０３の内部空洞に１つの電極群が収納されるが、これに限るものではない。ある変形例では、外装部３又は外装容器１０３の内部空洞に複数の電極群が収納されてもよい。
【０１１３】
また、前述の実施形態等では、電極端子２７のそれぞれは、外装部３等の外表面に取付けられる１つの部材から形成されるが、これに限るものではない。ある変形例では、第１の実施形態等と電池１に一対の電極端子２７が設けられ、電極端子２７のそれぞれは、外装部３の外部に露出する複数の部材を備える。この場合、電極端子２７のそれぞれは、例えば、外装部３の外表面に取付けられる第１の端子部材と、第１の端子部材に接続されるバー形状の第２の端子部材と、を備える。そして、電極端子２７のそれぞれでは、第２の端子部材は第１の端子部材から外周側に向かって延設される。
【０１１４】
電池モジュール５０等では、電池１αの第１の対象端子及び電池１βの第２の対象端子のそれぞれが、前述の第１の端子部材及び第２の端子部材を備えてもよい。この場合、電池１αの第１の対象端子及び電池１βの第２の対象端子のそれぞれでは、第２の端子部材は、積層方向に交差する方向について外側へ、第１の端子部材から延設される。そして、電池１α，１βの間を接続するバスバー５５は、第１の接触部６３が第１の対象端子の第２の端子部材に接触し、第２の接触部６５第２の対象端子の第２の端子部材に接触する。
【０１１５】
これらの少なくとも一つの実施形態又は実施例によれば、バスバーは、仕切り壁に、第１の接触部と第２の接触部との間において連結される。これにより、２つの対象端子をバスバーによって接続する作業の作業効率が確保されるとともに、信頼性が確保される電池モジュールを提供することができる。
【０１１６】
また、これらの少なくとも一つの実施形態又は実施例によれば、バスバーの第１のバー延設部は、積層方向について第２の電池から離れるほど積層方向に交差する方向について外側に位置する状態に、延設される。そして、バスバーの第２のバー延設部は、積層方向について第１の電池に近づくほど積層方向に交差する方向について外側に位置する状態に、延設される。これにより、２つの対象端子をバスバーによって接続する作業の作業効率が確保されるとともに、信頼性が確保される電池モジュールを提供することができる。
【０１１７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１８】
１，１０１…電池、３…外装部、４…周壁、５…第１の外装部材、６…第２の外装部材、７…底壁、１０…電極群、１３…フランジ、２７,１２７…電極端子、４０…電池アセンブリ、４１…カバー部材、４２…土台（仕切り壁）、４３…側板部、４５…延設部（第１のカバー延設部）、４６…延設部（第２のカバー延設部）、５０，１５０…電池モジュール、５５，１５５…バスバー、５６…係合部材、６３，１６３…第１の接触部、６５，１６５…第２の接触部、６６，１６６…バー中継部、８１，１８１…延設部（第１のバー延設部）、８２，１８２…延設部（第２のバー延設部）。
【図１】
2020177842.tif 000003
【図２】
2020177842.tif 000004
【図３】
2020177842.tif 000005
【図４】
2020177842.tif 000006
【図５】
2020177842.tif 000007
【図６】
2020177842.tif 000008
【図７】
2020177842.tif 000009
【図８】
2020177842.tif 000010
【図９】
2020177842.tif 000011
【図１０】
2020177842.tif 000012
【図１１】
2020177842.tif 000013
【図１２】
2020177842.tif 000014
【図１３】
2020177842.tif 000015
【図１４】
2020177842.tif 000016
【図１５】
2020177842.tif 000017
【図１６】
2020177842.tif 000018
【図１７】
2020177842.tif 000019
【図１８】
2020177842.tif 000020